(57)【要約】流体、特に低温液化天然ガスを含む炭化水素を貯蔵するためのタンク。タンクは、内側のタンク空間を画定するタンク壁を含み、タンク壁に接続される少なくとも一つの梁端を有する少なくとも一つの梁が、内側のタンク壁において提供される。少なくとも一つの凹部が、梁端を受け取ることによりそれをタンク壁に固定するために、タンク壁おいて提供される。本発明のタンクは、内側のタンク空間を画定するタンク壁を含む。例えば球形、円筒形、円錐形および様々な角柱形の形状のような異なる構成を有するタンクが、提供され得る。
2014513016.tif 000002
【特許請求の範囲】
【請求項１】
流体、特に低温液化天然ガスを含む炭化水素のためのタンクであって、該タンクは、内側のタンク空間を画定するタンク壁を備え、該タンク壁へ接続された少なくとも一つの梁端を有する少なくとも一つの梁が、該内側のタンク空間において提供され、少なくとも一つの凹部が、該タンク壁への固定のため該梁端を受け取るために、該タンク壁において提供されることにより特徴付けられる、流体のためのタンク。
【請求項２】
前記少なくとも一つの凹部が、前記梁端のための固定を提供する構成を有することにより特徴付けられる、請求項１に記載のタンク。
【請求項３】
前記凹部が、前記タンク壁において、前記タンクの前記内側空間に面する口部を有し、該凹部において受け取られる前記梁端の形状が、口部の寸法の中に嵌ることにより特徴付けられる、請求項１または請求項２に記載のタンク。
【請求項４】
ロッキング手段が、前記梁端を前記タンク壁に固定するために提供されることにより特徴付けられる、請求項１から請求項３のうちの一つに記載のタンク。
【請求項５】
前記ロッキング手段が、前記凹部の中に挿入されることによって、前記タンク壁へ前記梁端を保持する少なくとも一つの楔要素によって構成されることにより特徴付けられる、請求項４に記載のタンク。
【請求項６】
前記ロッキング手段が、前記口部または前記凹部の端部分を通して挿入されるように提供されることにより特徴付けられる、請求項４または請求項５に記載のタンク。
【請求項７】
前記凹部が、前記梁端の形状と本質的に合致する形状を有し、該凹部の前記口部が、該梁端の端部分よりも小さい寸法であり、該梁端は、該凹部の開放端部分を通って該凹部に入ることにより特徴付けられる、請求項１または請求項２のうちの一つに記載のタンク。
【請求項８】
前記タンク壁が、該タンク壁に内側の壁および外側の壁を提供する二重壁構築を有することにより特徴付けられる、請求項１から請求項７のうちの一つに記載のタンク。
【請求項９】
前記少なくとも一つの梁端が、前記タンク壁における凹部において受け取られて固定されるブラケットを含むことにより特徴付けられる、請求項１から請求項８のうちの一つに記載のタンク。
【請求項１０】
前記梁が、前記内側のタンク空間において直交三次元パターンで配列されることにより特徴付けられる、請求項１から請求項９のうちの一つに記載のタンク。
【発明の詳細な説明】
【技術分野】
【０００１】
本発明は、独立請求項１の冒頭において定められるように、流体、特に低温液化天然ガスを含む炭化水素のためのタンクに関連する。タンクは、流体の貯蔵、流通および輸送のために使用され得る。タンクは、貯蔵および燃料供給のような、船舶および浮上容器の上における様々な目的のために使用され得る。さらに、タンクは、波の負荷および地震により引き起こされる負荷のような力学的負荷に曝される重力基礎海洋構造物および陸上タンクにおいて用いられ得る。本発明に従うタンクはまた、高い内圧に曝されることに耐えるようにデザインされるべきである圧力タンクにも適用され得る。
【発明の概要】
【課題を解決するための手段】
【０００２】
本発明のタンクは、内側のタンク空間を画定するタンク壁を含む。例えば球形、円筒形、円錐形および様々な角柱形の形状のような異なる構成を有するタンクが、提供され得る。二重壁のタンク構築物は、圧力下の低温液化天然ガスの貯蔵のための最も一般的なデザイン構造であるが、それはまた、概して圧力容器のためにも使用され得、このタンクはまた、本発明に従うタンクのための選択肢にもなり得る。一つの局面において、タンク壁は、サンドイッチ構造を有し、それにより、押し出された梁要素がサンドイッチ構造に組み立てられる。
【０００３】
タンク構造に十分な強度を提供するために、梁の配列は、タンクの内側において位置付けられる。梁の配列は、複数の梁、好ましくは張力ステーを含み、それらの梁は、層のように、互いに対し直交するように方向付けられる。流体の部分が、液化状態を有する場合、梁の配列は、船舶の動きおよび液体自体の動きにより引き起こされるスロッシング効果をさらに減らす。
【０００４】
梁は各々、タンク壁に接続される少なくとも一つの端を有する。梁は、他の梁との相互接続点を形成し得、または梁端の各々は、離れたタンク壁に接続し得る。梁を内側のタンク空間において直交三次元パターンで配列することは、有利であることが、わかっている。梁、または張力ステーは、タンク構築物に十分な強度を与える梁を製造するために、押し出され得、または巻かれた形状から、もしくは任意の他の製造方法により製造され得る。
【０００５】
伝統的に、張力ステー／梁は、摩擦溶接またはＭＩＧ溶接を使用してタンク壁に溶接されている。溶接手順は、時間およびコストを消費するので、溶接手順の代替を提供する解決の必要は、タンクの製作のための製造コストを削減するうえで価値があるとわかっている。
【０００６】
梁とタンク壁との間の頑強かつ信頼できる接続に代替的解決を提供することが、本発明の目的である。独立請求項において定められるとおりのタンクに従い、機械的接続が、梁をタンク壁に取り付けるために提案される。本発明のさらなる実施形態は、添付の従属請求項において定められる。
【０００７】
独立請求項において定められるとおりのタンクに従い、少なくとも一つの梁が、内側のタンク空間において提供され、その少なくとも一つの梁は、タンク壁に接続される少なくとも一つの梁端を有する。
【０００８】
本発明の一つの実施形態において、梁端（単数または複数）は、タンク壁への取り付けのためのブラケットを含む。ブラケットは、溶接により、ボルト締めを使用することで、または他の適した手段により梁端に接続され得る。この実施形態において、ブラケットは、タンク壁への梁端の取り付けを形成しており、ブラケットは、タンク壁における凹部において受け取られ、固定されるように配列される。
【０００９】
少なくとも一つの凹部が、タンク壁への固定のために梁端を受け取るため、タンク壁において提供される。内側のタンク空間の中へ開いている凹部の口部は、梁端の部分またはブラケットがその口部を通して延びることを可能にするような寸法を有し、梁端の端部分またはブラケットは、凹部において受け取られ、固定される。
【００１０】
一つの実施形態において、凹部は、タンク壁において提供された凹部の中に梁端を位置付ける際、ブラケットがあるなしに関わらず、凹部の構成が、梁端に固定を提供することによって、タンク壁に対し定位置に梁をロックするように構成され、その構成において、凹部の口部は、梁端／ブラケットの形状よりも小さい。次いで、凹部は、この実施形態に従う梁端（またはブラケット）の形状に合致する形状にされ得る。タンク壁へ梁を固定する場合、梁端は、凹部の端部分へ入り、凹部において所望される場所に位置付けられる。梁は、梁端の端部分／ブラケットよりも小さい口部の寸法に起因して、タンク壁へ固定される。梁端／ブラケットが、固定のために凹部において組み入れられる場合、梁端（またはブラケット）の一部分は、タンクの内側の中へ開いている凹部の口部を通って延び出る。
【００１１】
本発明に従う別の実施形態において、タンクの内側の空間に面する凹部の口部は、梁端／ブラケットが凹部の中へタンクの内側から挿入されることを可能にする寸法に合う大きさにされる。梁端のタンク壁への固定を提供するために、ロッキング手段が提供される。ロッキング手段は、楔要素を含むことで、凹部の端部分を通って入ることにより、または代替的にタンクの内側空間の中に開いている凹部の口部を通ることにより、凹部の中に位置付けられ得る。楔留め要素は、凹部の口部の寸法よりも大きい部分を有し、それによって梁端／ブラケットへの楔留め効果を提供することによりタンク壁へ梁を固定する。
【００１２】
本発明の実施形態の例は、以下のような図を参照して説明される。
【図面の簡単な説明】
【００１３】
【図１ａ】図１ａは、タンク構造の斜視図を示す。
【図１ｂ】図１ｂは、本発明の一つの実施形態に従う壁への梁端の接続を示す。
【図１ｃ】図１ｃは、図１ｂにおいて矢印により指し示されるブラケットおよびタンク壁を通る断面である。
【図２ａ】図２ａは、本発明の別の実施形態に従う壁への梁端の接続を示す。
【図２ｂ】図２ｂは、図２ａにおいて矢印により指し示されるブラケットおよびタンク壁を通る断面を示す。
【図３】図３は、ブラケットおよびタンク壁を通る断面を示すことによって、壁への梁端の固定を詳細に示す。
【発明を実施するための形態】
【００１４】
タンク１０の実施形態は、図１ａにおいて示される。相互接続される押し出された梁要素３により作り上げられた二重壁構築を有するタンクが、示される。梁要素３は、内壁１１および外壁１２を提供し、内側の壁仕切り（ｓｅｃｔｉｏｎ）は、内壁１１と外壁１２との間を通る。内壁仕切り１３は、内壁１１および外壁１２に対する傾けられた接続を有する。そして、内壁仕切り１４は、内壁１１および外壁１２へ垂直に接続される。
【００１５】
当業者が理解するように、タンク壁を作り上げるこのサンドイッチ構築の形状／断面は、図において示されるものとは異なるレイアウト（ｏｕｔｌａｙ）を有し得る。内壁の仕切りは、様々な方法で位置付けられ、特定のタンクのデザイン基準に従う様々な形状パターンを提供し得る。さらに、タンク壁は、異なる形状パターンまたは同様の形状パターンを有する梁要素により構成され得、その結果として、その形状は、壁に沿って一様でも非一様でもよい。もちろん、二重壁構築は、相互接続される押し出された梁要素３を使用することによるものとは別の態様で、提供され得る。
【００１６】
タンク１０が提供され、そのタンクは、タンク構造を強化することによって、タンクの構造に対して働く負荷衝撃に耐久するように、タンクの内側空間において配列されたＨ形状を有する梁１を備える。梁１が示され、それらの梁は、垂直方向および水平方向に直交パターンで張力ステーとして配列される。図１において示されるように、梁の一方の端は、タンク壁に接続され、もう一方の梁端は、垂直方向の態様で別の梁端に接続される。ブラケット２が、壁に固定される梁１の一方の端に接続される。ボルト４の使用により梁端に接続されるブラケット２が示され、その梁端同士は、溶接を使用して接続される。しかしながら、当業者が認識するように、これらの接続は、別の方法により（例えば、梁端をブラケットに溶接すること、または梁端同士を接続するボルトを使用することにより）提供され得る。
【００１７】
図１ｂおよび図１ｃは、梁１を、タンク壁において配列された凹部２０の中に嵌る形状を有するブラケット２とともに示す。図１ｂおよび図１ｃにおいて示される実施形態において、口部２１がブラケットがタンクの内側空間から凹部に入るためには小さすぎるので、ブラケット２は、ブラケット２が、凹部の端部分から入って、凹部２０の中に嵌められることを必要とする。タンクの内側空間の中へ開いている凹部の小さな口部２１は、ブラケットが、凹部２０の端部分を通して組み入れられた後で、しっかりとタンク壁において固定されることを確実にする。凹部２０は、壁の一部分に沿って延びても、壁の全長に沿って延びてもよく、凹部の端部分は、タンク壁の端表面１５に合致する。凹部は、壁を製造する際にその形状の部分として作られても、タンクが完成させられた後で必要とされる場合に提供されてもよい。
【００１８】
図２ａ、図２ｂ、図３において、壁への梁の代替的な固定を含む本発明の実施形態が、示される。凹部２０の口部２１は、タンクの内側の中へ開いており、形状の寸法は、口部２１の中に嵌り、それによってブラケットがタンクの内側から凹部に入ることを可能にする。それゆえ、この実施形態に従うと、ブラケットが、図１ｂ、図１ｃにおいて示される実施形態におけるように、その端部分を通って凹部に入る必要はない。Ｌ形状のロッキング楔３０として本明細書において示されるロッキング手段は、梁端がタンク壁への固定を有することを確実にするように提供される。図３において示されるようなロッキング楔３０は、凹部の端部分に入り、口部２１の寸法とロッキング楔のロッキング部分３１の寸法との間の差異に起因して、凹部の中に保持される。当業者が認識し得るように、ロッキング手段は、一つまたはそれよりも多くの要素を含み得、ロッキング楔は、口部２１を通して凹部に入るように提供され得、この場合におけるロッキング楔は、図３において示される構成とは異なる構成を有する。
【００１９】
梁端へ嵌められるブラケットを有する梁端の壁への固定が、本明細書において説明されているが、当業者が認識するように、これらの説明はまた、梁端がブラケットとともに提供されず、梁端がタンク壁に直接的に固定されるように配列される本発明の局面にも適用される。
【図１ａ】
2014513016.tif 000003
【図１ｂ】
2014513016.tif 000004
【図１ｃ】
2014513016.tif 000005
【図２ａ】
2014513016.tif 000006
【図２ｂ】
2014513016.tif 000007
【図３】
2014513016.tif 000008
【国際調査報告】
2014513016.tif 000009
2014513016.tif 000010